(57)【要約】【課題】  物品収納時の耐衝撃性に優れ、安価でリサイクルが容易な紙製の段ボールよりなる緩衝部材および緩衝容器を提供する。【解決手段】  物品収納時の耐衝撃性に優れ、かつ安価でリサイクルが容易な紙製の段ボール材よりなる緩衝部材１であって、波形板６とライナ７とを有する紙製の段ボール材２が複数重合された積層体３を有し、波形板６の目６ａの方向が上下方向に設定されており、積層体３の上面と下面の少なくとも一方に、物品Ａを収納する凹部４が、段ボール材２の座屈により形成されている。【選択図】      図3
2006008220.tif 000002
【特許請求の範囲】
【請求項１】
波形板とライナとを有する紙製の段ボール材が複数重合された積層体を有し、
前記波形板の目の方向が上下方向に設定されており、
前記積層体の上面と下面の少なくとも一方に、物品を収納する凹部が、段ボール材の座屈により形成されている緩衝部材。
【請求項２】
請求項１において、
前記積層体の上面と下面の少なくとも一方に補強シートが固着されている緩衝部材。
【請求項３】
相対向する位置に凹部を有する請求項１または２に記載の一対の緩衝部材が上下に重合されて、前記凹部に物品を収納させる緩衝容器。
【発明の詳細な説明】
【技術分野】
【０００１】
本発明は、例えばパソコンの液晶表示装置や各種精密部品などの物品の保管や輸送時に衝撃から保護するために梱包材として使用される緩衝部材および緩衝容器に関する。
【背景技術】
【０００２】
従来、発泡スチロールのような緩衝部材は、例えばパソコンの液晶表示装置などの電子機器、家電などの電気機器、自動車などの車両で用いる精密部品のような物品の保管や輸送時に衝撃から保護するための梱包材として多く用いられている。しかし、前記発泡スチロールは軽量で耐衝撃性を有するものの、高い位置から落下させた場合のような、大きな衝撃力に対する緩衝効果は十分といえない。紙製段ボールのような梱包材に比べると、高価であり、しかも嵩張るので使用後の処分や取扱いが煩わしく、リサイクルコストも高くつく。また、プラスチックシートを主材とする緩衝ボードとして、中空層を有する緩衝部材の一部を、収納する物品の形状に対応した凹形状に成形してなるものが知られている（例えば特許文献１参照）。この緩衝ボードは、軽量で耐衝撃性を有し、前記発泡スチロール製の緩衝部材のように嵩張らないので、使用後の処分や取扱いが比較的簡便に行える。
【特許文献１】特開２００３−８１３４８号公報
【発明の開示】
【発明が解決しようとする課題】
【０００３】
ところが、前記緩衝ボードは、大きな衝撃力に対する緩衝効果はかなり高いと予測されるが、プラスチックシートを主材としているので、前記発泡スチロール製の緩衝部材と同様、高価であり、リサイクルコストも高くつくため、コストパフォーマンスからみて適切ではない。
【０００４】
そこで、本発明は、物品収納時の耐衝撃性に優れ、かつ安価でリサイクルが容易な紙製の段ボール材からなる緩衝部材および緩衝容器を提供することを目的とする。
【課題を解決するための手段】
【０００５】
上記目的を達成するため、本発明に係る緩衝部材は、波形板とライナとを有する紙製の段ボール材が複数重合された積層体を有し、前記波形板の目の方向が上下方向に設定されており、前記積層体の上面と下面の少なくとも一方に、物品を収納する凹部が、段ボール材の座屈により形成されている。
【０００６】
この構成によれば、段ボール材で形成されるので、軽量かつ安価で、しかもリサイクルが容易かつ低コストで行えて省資源的に優れる。また、段ボール材を用いるにもかかわらず、その波形板の目の方向が上下方向に設定されているので、上下方向の荷重に対する支持強度が大きく、耐屈曲性に優れる。さらに、凹部を形成する段ボール材の座屈部分は、蛇腹状となって適度なクッション性を有するので、前記凹部に収納した物品に対してクッション作用を与え、上下方向の荷重を効率的に吸収し、前記物品を衝撃から効果的に保護できる。
【０００７】
本発明の好ましい実施形態では、前記積層体の上面と下面の少なくとも一方に補強シートが固着されている。この構成によれば、上下方向の荷重は補強シートの全面にかかるので、補強シートが存在しない場合に比べ、前記荷重によって波形板の目が局部的に押し潰されることがないので、上下方向の荷重に対する支持強度が一層大きくなり、耐衝撃性および耐屈曲性が一層高められる。
【０００８】
また、本発明に係る緩衝容器では、一対の前記緩衝部材が上下に重合されて、前記凹部に物品を収納させるようになっている。
【０００９】
この構成によれば、物品が上下の緩衝部材のクッション性を持つ凹部に収納されるので、上下方向の荷重に対する支持強度が大きく、耐衝撃性および耐屈曲性が優れる。このように、緩衝容器が優れた耐衝撃性および耐屈曲性を備えているので、衝撃からの保護が要求される物品の収納に適する。また、緩衝容器はすべて紙製の段ボールからできているので、使用後のリサイクルも容易である。
【発明の効果】
【００１０】
本発明の緩衝部材および緩衝容器によれば、段ボール材で形成されるので、軽量かつ安価で、しかもリサイクルが低コストで容易に行えて省資源的に優れる。また、物品を収納する凹部を形成する段ボール材の座屈部分が、蛇腹状となって適度なクッション性を有するので、収納物品を衝撃に対して効果的に保護できる。
【発明を実施するための最良の形態】
【００１１】
以下、本発明の好ましい実施形態について図面を参照しながら説明する。図１は、本発明の第１実施形態に係る緩衝部材の斜視図である。同図に示すように、緩衝部材１は、後述する紙製の段ボール材２が複数、幅方向Ｘに重合された積層体３により構成され、その上面に物品を収納する凹部４が形成されている。この緩衝部材１の上面および下面には紙製の補強シート５が固着されており、前記上面には物品を収納する凹部４が形成されている。凹部４の上面にも補強シート５が固着されている。なお、前記補強シート５は、緩衝部材１の上面、下面のいずれか一方だけに固着されていてもよい。
【００１２】
前記積層体３を構成する段ボール材２は、図２に示すように、波形板６とライナ７とを接合したもので、前記波形板６の目６ａの方向が上下方向に設定されている。段ボール材２として、例えば波形板６の目６ａの高さＨが５〜１８ｍｍ（好ましくは８〜１５ｍｍ）の鬼段ボールが用いられる。このような鬼段ボールを用いることで、緩衝部材１が軽量となり、その製作コストも低く抑えることができる。
【００１３】
前記凹部４は、前記積層体３の上面に固着した補強シート５の上から凹部４の深さに相当する深さの、例えば図４（Ａ）に示すような長方形状の切り込み８Ａを必要な数だけ設け、各切り込み８Ａで囲まれた部分を、図４（Ｂ）に示すように、上方からプレス機Ｐで押圧することにより形成している。このように、切り込み８Ａに対して上方からプレス機Ｐで押圧することで、図２に示すように、切り込み８Ａで囲まれた部分の段ボール材２に座屈を起こさせ、得られた座屈部９の上側を、物品Ａを収納する凹部４としている。この座屈部９では、段ボール材２を構成する波形板６およびライナ７は座屈を起こして蛇腹状を呈している。
【００１４】
前記のように構成される一対の緩衝部材１，１０を用意し、図３に示すように、凹部４を下面に有する二点鎖線で示す上方の緩衝部材１０を、実線で示す下方の緩衝部材１の上側に重ね合わせることで、凹部４，４を相対向させ、これら凹部４，４内に物品Ａを収納できる緩衝容器１１が得られる。したがって、緩衝容器１１は、収納する物品Ａの形状および寸法に応じて、前記積層体３に、例えば複数の長方形状の切り込み８Ａ（図４（Ｂ））、単一の四角形状の切り込み８Ｂ（図５）、あるいは円形状の切り込み８Ｃ（図６）を設け、これらの切り込み８Ａ，８Ｂ，８Ｃに対して上方からプレス機で押圧することで、図３に示したものと同様な蛇腹状の座屈部９を形成することにより、所定形状・寸法の凹部４を設けている。凹部４の底面形状は、平坦な形状のほか、プレス機Ｐの押圧面形状により、種々の形状に設定できる。
【００１５】
以上のように構成される緩衝部材１および緩衝容器１１によれば、図３に示すように、一対の緩衝部材１，１０を用意し、一方の緩衝部材１の凹部４に物品Ａを収納し、この緩衝部材１の上から他方の緩衝部材１０をその凹部４が前記物品Ａの上部を覆うように重ね合わせる。これにより、物品Ａを収納した緩衝容器１１が完成する。その後、前記緩衝容器１１を図示しない段ボール箱内に収納するか、または一対の緩衝部材１，１０が離脱しないように、外面に図示しない梱包用粘着テープを巻き付けて接合する。緩衝部材１，１０は、図２に示す波形板６の目６ａの方向が上下方向に設定されているので、上下方向の荷重に対する支持強度が大きく耐衝撃性および耐屈曲性に優れているから、前記荷重により凹部４に収納された物品Ａが圧潰するのを防止できる。また、凹部４を形成する段ボール材２の座屈部９は、蛇腹状となって適度なクッション性を有するので、前記凹部４に収納した物品Ａに対してクッション作用を与え、上下方向の衝撃荷重を効率的に吸収して物品Ａを保護する。また、緩衝部材１，１０および緩衝容器１１を構成する素材が紙製の段ボール材２であるので、軽量かつ安価で、しかもリサイクルが低コストで容易に行えて、省資源的に優れる。
【００１６】
図７に示す第２実施形態では、積層体３に単一の四角形状の切り込み８Ｂ（図５）を設け、この切り込み８Ｂに沿ってプレス機で押圧することにより得た一対の緩衝部材１，１０を緩衝容器１１とした場合を示している。このように、一対の緩衝部材１，１０を重ね合わせた緩衝容器１１の内部には、大きな収納部が形成されるので、単一物品で四角形状の物品Ａの収納に適する。
【００１７】
図８に示す第３実施形態では、円形状の切り込み８Ｃ（図６）を設け、この切り込み８Ｃに沿って回転楕円（楕円球）面状の押圧面を持つプレス機で押圧した一対の緩衝部材１，１を緩衝容器１１とした場合を示している。このように一対の緩衝部材１，１を重ね合わせることで内部に大きな楕円球状の凹部４が形成されるので、単一物品で楕円球状の物品Ａの収納に適する。
【００１８】
さらに図９に示す第４実施形態では、円形状の切り込み８Ｃ（図６）を設け、この切り込み８Ｃに沿って、球面状の押圧面を持つプレス機で押圧した一対の緩衝部材１を緩衝容器１１の主要部とした場合を示している。この場合、緩衝部材１の上部に段ボール材の積層体からなる平板状の蓋体１３を重ねることによって、緩衝容器１１が得られる。このように、緩衝部材１に蓋体１３を重ね合わせることで内部に部分球状の凹部４が形成されるので、単一物品で部分球状の物品Ａの収納に適する。
【００１９】
前記第２〜４実施形態の場合も、前記第1実施形態と同等の効果があり、収納した物品Ａは、緩衝容器１１に対して外部から衝撃（特に上下方向からの荷重）が加わっても保護される。
【００２０】
なお、緩衝部材１は、緩衝部材１０または蓋体１３を重合しないで、単独で使用しても、緩衝作用を発揮する。また、緩衝部材１，１０には、その上下両面に凹部４を形成することもできる。
【図面の簡単な説明】
【００２１】
【図１】本発明の第1実施形態に係る緩衝部材を示す斜視図である。
【図２】図１の緩衝部材を切欠して示す拡大斜視図である。
【図３】図１のlll―lll線断面図である。
【図４】緩衝部材の上面に設けた複数の長方形状の切り込みを示す平面図である。
【図５】緩衝部材の上面に設けた単一の四角形状の切り込みを示す平面図である。
【図６】緩衝部材の上面に設けた円形状の切り込みを示す平面図である。
【図７】第２実施形態に係る緩衝容器を示す断面図である。
【図８】第３実施形態に係る緩衝容器を示す断面図である。
【図９】第４実施形態に係る緩衝容器を示す断面図である。
【符号の説明】
【００２２】
１，１０  緩衝部材
２  段ボール材
３  積層体
４  凹部
５  補強シート
６  波形板
６ａ  目
７  ライナ
９  座屈部
１１  緩衝容器
Ａ  物品
【図１】
2006008220.tif 000003
【図２】
2006008220.tif 000004
【図３】
2006008220.tif 000005
【図４】
2006008220.tif 000006
【図５】
2006008220.tif 000007
【図６】
2006008220.tif 000008
【図７】
2006008220.tif 000009
【図８】
2006008220.tif 000010
【図９】
2006008220.tif 000011